(57)【要約】【課題】音声通話中のアプリケーションソフトに対する操作により発生する雑音が通話相手に通知されることを抑制することができる電話機を得る。【解決手段】携帯電話機１において、電話機１が通信ネットワーク７を介して他の電話機と音声通話中に音声通話に関連するアプリケーションソフト以外の起動されているアプリケーションソフトに対するユーザ操作がなされると、電話機１はネットワーク７に音声通話の保留を要求する。これにより、音声通話が保留され、上記操作により発生する雑音が他の電話機に通知されることが抑制される。【選択図】　　　図１
2004080222.tif 000002
【特許請求の範囲】
【請求項１】
複数の処理を並列に実行可能な電話機と、この電話機が接続される通信ネットワークとを含む通信システムであって、
前記電話機は、音声通話中に音声通話以外の起動されている処理に対するユーザ操作に応答して、前記音声通話の保留を前記ネットワーク側に要求する保留要求手段を有し、前記ネットワークは、前記電話機からの当該要求に応答して前記音声通話を保留すべく制御をなす保留制御手段を有することを特徴とする通信システム。
【請求項２】
前記保留要求手段は、前記起動されている処理が保留の必要な処理として予め定められている場合に、前記音声通話の保留をネットワーク側に要求することを特徴とする請求項１記載の通信システム。
【請求項３】
複数の処理を並列に実行可能な電話機と、この電話機が接続される通信ネットワークとを含む通信システムであって、
前記電話機は、音声通話中に音声通話以外の起動されている処理に対するユーザ操作に応答して、この音声通話を保留すべく制御をなす保留制御手段を有することを特徴とする通信システム。
【請求項４】
前記電話機は通話用のマイクロフォンを更に有し、前記保留制御手段は、前記制御として、前記マイクロフォンをオフに制御すると共に保留音を前記ネットワークを介して前記音声通話の通話相手に送出する制御をなすことを特徴とする請求項３記載の通信システム。
【請求項５】
前記保留制御手段は、前記起動されている処理が保留の必要な処理として予め定められている場合に前記制御をなすようにしたことを特徴とする請求項３又は４記載の通信システム。
【請求項６】
前記電話機は携帯電話機であることを特徴とする請求項１〜５いずれか記載の通信システム。
【請求項７】
複数の処理を並列に実行可能な電話機と、この電話機が接続される通信ネットワークとを含む通信システムの保留制御方法であって、
前記電話機において、音声通話中に音声通話以外の起動されている処理に対するユーザ操作に応答して、前記音声通話の保留を前記ネットワーク側に要求する保留要求ステップと、前記ネットワークにおいて、前記電話機からの当該要求に応答して前記音声通話を保留すべく制御をなす保留制御ステップとを含むことを特徴とする保留制御方法。
【請求項８】
前記保留要求ステップは、前記起動されている処理が保留の必要な処理として予め定められている場合に、前記音声通話の保留をネットワーク側に要求することを特徴とする請求項７記載の保留制御方法。
【請求項９】
複数の処理を並列に実行可能な電話機と、この電話機が接続される通信ネットワークとを含む通信システムの保留制御方法であって、
前記電話機において、音声通話中に音声通話以外の起動されている処理に対するユーザ操作に応答して、この音声通話を保留すべく制御をなす保留制御ステップを含むことを特徴とする保留制御方法。
【請求項１０】
前記保留制御ステップは、前記制御として、前記電話機に備えられている通話用のマイクロフォンをオフに制御すると共に保留音を前記ネットワークを介して前記音声通話の通話相手に送出する制御をなすことを特徴とする請求項９記載の保留制御方法。
【請求項１１】
前記保留制御ステップは、前記起動されている処理が保留の必要な処理として予め定められている場合に前記制御をなすようにしたことを特徴とする請求項９又は１０記載の保留制御方法。
【請求項１２】
複数の処理を並列に実行可能な電話機であって、
音声通話中に音声通話以外の起動されている処理に対するユーザ操作に応答して、前記音声通話の保留をネットワーク側に要求する保留要求手段を含むことを特徴とする電話機。
【請求項１３】
前記保留要求手段は、前記起動されている処理が保留の必要な処理として予め定められている場合に、前記音声通話の保留をネットワーク側に要求することを特徴とする請求項１２記載の電話機。
【請求項１４】
複数の処理を並列に実行可能な電話機であって、
音声通話中に音声通話以外の起動されている処理に対するユーザ操作に応答して、この音声通話を保留すべく制御をなす保留制御手段を含むことを特徴とする電話機。
【請求項１５】
通話用のマイクロフォンを更に含み、前記保留制御手段は、前記制御として、前記マイクロフォンをオフに制御すると共に保留音をネットワークを介して前記音声通話の通話相手に送出する制御をなすことを特徴とする請求項１４記載の電話機。
【請求項１６】
前記保留制御手段は、前記起動されている処理が保留の必要な処理として予め定められている場合に前記制御をなすようにしたことを特徴とする請求項１４又は１５記載の電話機。
【請求項１７】
当該電話機は携帯電話機であることを特徴とする請求項１２〜１６いずれか記載の電話機。
【請求項１８】
複数の処理を並列に実行可能な電話機の制御方法であって、
音声通話中に音声通話以外の起動されている処理に対するユーザ操作に応答して、前記音声通話の保留をネットワーク側に要求する保留要求ステップを含むことを特徴とする制御方法。
【請求項１９】
前記保留要求ステップは、前記起動されている処理が保留の必要な処理として予め定められている場合に、前記音声通話の保留をネットワーク側に要求することを特徴とする請求項１８記載の制御方法。
【請求項２０】
複数の処理を並列に実行可能な電話機の制御方法であって、
音声通話中に音声通話以外の起動されている処理に対するユーザ操作に応答して、この音声通話を保留すべく制御をなす保留制御ステップを含むことを特徴とする制御方法。
【請求項２１】
前記保留制御ステップは、前記制御として、前記電話機に備えられている通話用のマイクロフォンをオフに制御すると共に保留音をネットワークを介して前記音声通話の通話相手に送出する制御をなすことを特徴とする請求項２０記載の制御方法。
【請求項２２】
前記保留制御ステップは、前記起動されている処理が保留の必要な処理として予め定められている場合に前記制御をなすようにしたことを特徴とする請求項２０又は２１記載の制御方法。
【請求項２３】
複数の処理を並列に実行可能な電話機の制御方法をコンピュータに実行させるためのプログラムであって、
音声通話中に音声通話以外の起動されている処理に対するユーザ操作に応答して、前記音声通話の保留をネットワーク側に要求する保留要求ステップを含むことを特徴とするプログラム。
【請求項２４】
前記保留要求ステップは、前記起動されている処理が保留の必要な処理として予め定められている場合に、前記音声通話の保留をネットワーク側に要求することを特徴とする請求項２３記載のプログラム。
【請求項２５】
複数の処理を並列に実行可能な電話機の制御方法をコンピュータに実行させるためのプログラムであって、
音声通話中に音声通話以外の起動されている処理に対するユーザ操作に応答して、この音声通話を保留すべく制御をなす保留制御ステップを含むことを特徴とするプログラム。
【請求項２６】
前記保留制御ステップは、前記制御として、前記電話機に備えられている通話用のマイクロフォンをオフに制御すると共に保留音をネットワークを介して前記音声通話の通話相手に送出する制御をなすことを特徴とする請求項２５記載のプログラム。
【請求項２７】
前記保留制御ステップは、前記起動されている処理が保留の必要な処理として予め定められている場合に前記制御をなすようにしたことを特徴とする請求項２５又は２６記載のプログラム。
【発明の詳細な説明】
【０００１】
【発明の属する技術分野】
本発明は通信システム、その保留制御方法、電話機、その制御方法及びプログラムに関し、特に複数の処理を並列に実行可能な電話機及びそれを用いた通信システムに関する。
【０００２】
【従来の技術】
従来、複数のアプリケーションソフトウェアを並列に動作させることができる携帯電話機がある。例えば、音声通話中に、携帯電話機のメモリやＣＰＵ処理能力の許す範囲で音声通話以外のアプリケーションソフトを起動することができる。
【０００３】
【発明が解決しようとする課題】
しかし、従来の携帯電話機において、音声通話中に、音声通話に関連するアプリケーションソフトと並列に動作している別のアプリケーションソフトに対する操作がユーザにより行われると、この操作により雑音が発生し、この雑音が携帯電話機のマイクを通じて通話相手に通知されるという問題がある。
【０００４】
本発明の目的は、音声通話中のアプリケーションソフトに対する操作により発生する雑音が通話相手に通知されることを抑制することができる通信システム、その保留制御方法、電話機、その制御方法及びプログラムを提供することにある。
【０００５】
【課題を解決するための手段】
本発明による通信システムは、複数の処理を並列に実行可能な電話機と、この電話機が接続される通信ネットワークとを含む通信システムであって、前記電話機は、音声通話中に音声通話以外の起動されている処理に対するユーザ操作に応答して、前記音声通話の保留を前記ネットワーク側に要求する保留要求手段を有し、前記ネットワークは、前記電話機からの当該要求に応答して前記音声通話を保留すべく制御をなす保留制御手段を有することを特徴とする。
【０００６】
本発明による別の通信システムは、複数の処理を並列に実行可能な電話機と、この電話機が接続される通信ネットワークとを含む通信システムであって、前記電話機は、音声通話中に音声通話以外の起動されている処理に対するユーザ操作に応答して、この音声通話を保留すべく制御をなす保留制御手段を有することを特徴とする。
【０００７】
前記通信システムにおいて、前記電話機は通話用のマイクロフォンを更に有し、前記保留制御手段は、前記制御として、前記マイクロフォンをオフに制御すると共に保留音を前記ネットワークを介して前記音声通話の通話相手に送出する制御をなすことを特徴とする。
【０００８】
本発明による保留制御方法は、複数の処理を並列に実行可能な電話機と、この電話機が接続される通信ネットワークとを含む通信システムの保留制御方法であって、前記電話機において、音声通話中に音声通話以外の起動されている処理に対するユーザ操作に応答して、前記音声通話の保留を前記ネットワーク側に要求する保留要求ステップと、前記ネットワークにおいて、前記電話機からの当該要求に応答して前記音声通話を保留すべく制御をなす保留制御ステップとを含むことを特徴とする。
【０００９】
本発明による別の保留制御方法は、複数の処理を並列に実行可能な電話機と、この電話機が接続される通信ネットワークとを含む通信システムの保留制御方法であって、前記電話機において、音声通話中に音声通話以外の起動されている処理に対するユーザ操作に応答して、この音声通話を保留すべく制御をなす保留制御ステップを含むことを特徴とする。
【００１０】
前記保留制御方法において、前記保留制御ステップは、前記制御として、前記電話機に備えられている通話用のマイクロフォンをオフに制御すると共に保留音を前記ネットワークを介して前記音声通話の通話相手に送出する制御をなすことを特徴とする。
【００１１】
本発明による電話機は、複数の処理を並列に実行可能な電話機であって、音声通話中に音声通話以外の起動されている処理に対するユーザ操作に応答して、前記音声通話の保留をネットワーク側に要求する保留要求手段を含むことを特徴とする。
【００１２】
本発明による別の電話機は、複数の処理を並列に実行可能な電話機であって、音声通話中に音声通話以外の起動されている処理に対するユーザ操作に応答して、この音声通話を保留すべく制御をなす保留制御手段を含むことを特徴とする。
【００１３】
前記電話機において、通話用のマイクロフォンを更に含み、前記保留制御手段は、前記制御として、前記マイクロフォンをオフに制御すると共に保留音をネットワークを介して前記音声通話の通話相手に送出する制御をなすことを特徴とする。
【００１４】
本発明による制御方法は、複数の処理を並列に実行可能な電話機の制御方法であって、音声通話中に音声通話以外の起動されている処理に対するユーザ操作に応答して、前記音声通話の保留をネットワーク側に要求する保留要求ステップを含むことを特徴とする。
【００１５】
本発明による別の制御方法は、複数の処理を並列に実行可能な電話機の制御方法であって、音声通話中に音声通話以外の起動されている処理に対するユーザ操作に応答して、この音声通話を保留すべく制御をなす保留制御ステップを含むことを特徴とする。
【００１６】
前記制御方法において、前記保留制御ステップは、前記制御として、前記電話機に備えられている通話用のマイクロフォンをオフに制御すると共に保留音をネットワークを介して前記音声通話の通話相手に送出する制御をなすことを特徴とする。
【００１７】
本発明によるプログラムは、複数の処理を並列に実行可能な電話機の制御方法をコンピュータに実行させるためのプログラムであって、音声通話中に音声通話以外の起動されている処理に対するユーザ操作に応答して、前記音声通話の保留をネットワーク側に要求する保留要求ステップを含むことを特徴とする。
【００１８】
本発明による別のプログラムは、複数の処理を並列に実行可能な電話機の制御方法をコンピュータに実行させるためのプログラムであって、音声通話中に音声通話以外の起動されている処理に対するユーザ操作に応答して、この音声通話を保留すべく制御をなす保留制御ステップを含むことを特徴とする。
【００１９】
前記プログラムにおいて、前記保留制御ステップは、前記制御として、前記電話機に備えられている通話用のマイクロフォンをオフに制御すると共に保留音をネットワークを介して前記音声通話の通話相手に送出する制御をなすことを特徴とする。
【００２０】
本発明の作用は次の通りである。複数の処理を並列に実行可能な電話機において、音声通話処理とこれ以外の処理とが起動中に音声通話処理以外の処理に対するユーザ操作に応答して、音声通話の保留をネットワーク側に要求する。この要求に応答して、ネットワークは音声通話を保留する。
【００２１】
また、複数の処理を並列に実行可能な電話機において、音声通話処理とこれ以外の処理とが起動中に音声通話処理以外の処理に対するユーザ操作に応答して、電話機に備えられている通話用のマイクロフォンをオフにすると共に保留音をネットワークに送出する。電話機から送出された保留音はネットワークを介して前記音声通話の通話相手に受信される。
【００２２】
【発明の実施の形態】
以下に、本発明の実施例について図面を用いて説明する。図１は本発明の実施例による移動通信システムの構成を示す図である。図１に示したように、本発明の実施例による移動通信システムは、携帯電話機１と、無線基地局２と、交換機３と、ゲートウェイ４と、Ｗｅｂ（ウェブ）サーバ５と、メールサーバ６とを有している。通信ネットワーク７は、携帯電話網やインターネット等であり、無線基地局２、交換機３及びゲートウェイ４により構成されている。なお、画面２００は、携帯電話機１の表示部の表示画面の例を示している。
【００２３】
携帯電話機１は、無線基地局２、交換機３及びゲートウェイ４を介して、Ｗｅｂサーバ５またはメールサーバ６とデータ通信を行うことができる。また、携帯電話機１は、無線基地局２及び交換機３を介して、図示せぬ他の携帯電話機または図示せぬ固定電話機と音声通信（音声通話）を行うことができる。
【００２４】
図２は図１に示した携帯電話機１の構成を示す図である。図２に示したように、携帯電話機１は、アンテナ１０と、送受信部１１と、制御部１２と、音声メッセージ発生部１３と、メロディ発生部１４と、表示制御部１５と、表示部１６と、音声通話制御部１７と、マイク１８と、スピーカ１９と、メモリ２０と、操作部２１とを有している。
【００２５】
送受信部１１は、制御部１２の制御に従ってアンテナ１０を介して信号の送受信処理をなすためのものである。制御部１２は、メモリ２０に予め格納されたプログラムに従って動作し、携帯電話機１の各部を制御する。
【００２６】
音声メッセージ発生部１３は、制御部１２からの指示に応答して、音声通話の保留を通話相手に通知するための音声メッセージを生成する。メロディ発生部１４は、制御部１２からの指示に応答して、音声通話の保留を通話相手に通知するためのメロディを生成する。
【００２７】
表示制御部１５は、制御部１２の制御に従って各種情報を表示部１６に表示させるための表示制御を行う。表示部１６は、ＬＣＤ（Ｌｉｑｕｉｄ　Ｃｒｙｓｔａｌ　Ｄｉｓｐｌａｙ）等である。音声通話制御部１７は、制御部１２から入力される音声信号を増幅しスピーカ１９から出力させ、また、マイク１８から入力される音声信号を増幅し制御部１２に出力する。
【００２８】
メモリ２０には、後述するアプリケーションソフト管理情報テーブルが予め格納されている。操作部２１は、ユーザが携帯電話機１を操作するためのものである。ユーザは、操作部２１を用いて、携帯電話機１の各種アプリケーションソフトを起動して起動されている各アプリケーションソフトに対して操作をなすことが可能である。
【００２９】
図３はアプリケーションソフト起動時の図１に示した携帯電話機１の動作を示すフローチャートである。図１，２及び３において、携帯電話機１のアプリケーションソフトが起動されると、制御部１２は、携帯電話機１が通信ネットワーク７を介して他の電話機（携帯電話機または固定電話機）と音声通話中であるか否かを確認する（図３のステップＥ１）。音声通話中であれば（図３のステップＥ１，Ｙｅｓ）、制御部１２は、音声通話以外のアプリケーションソフトが現在起動されているか否かを確認する（図３のステップＥ２）。
【００３０】
音声通話に関連するアプリケーションソフト以外にアプリケーションソフトが起動されている場合（図３のステップＥ２，Ｙｅｓ）、制御部１２は、ユーザにより音声通話以外のアプリケーションソフトに対する操作がなされているか否かを確認する（図３のステップＥ３）。すなわち、ステップＥ３では、現在起動されているアプリケーションソフトの中でユーザに対して最も前面にでてきているアプリケーションソフトが、音声通話以外のアプリケーションソフトであるか否かを確認する。
【００３１】
現在起動されているアプリケーションソフトの中の一つが電子メールに関連するアプリケーションソフト（メーラー）であり、ユーザが操作部２１を用いて音声通話中にこのメーラーに対する操作をなすならば、表示部１６には例えば図１に示した画面２００のような画面が表示されており、このメーラーがユーザに対して最も前面にでてきているアプリケーションソフトである。
【００３２】
一方、音声通話中にメーラーが起動されているもののこのメーラーに対する操作がなされず、ユーザに対して最も前面にでてきているアプリケーションソフトが音声通話に関連するアプリケーションソフトであるならば、表示部１６には画面２００ではなく音声通話中を示す画面が表示されている。
【００３３】
ユーザにより音声通話以外のアプリケーションソフトに対する操作がなされている場合（図３のステップＥ３，Ｙｅｓ）、制御部１２は、このアプリケーションソフトが保留制御が必要なアプリケーションソフトであるか否かを確認する（図３のステップＥ４）。ステップＥ４における確認は、メモリ２０内のアプリケーションソフト管理情報テーブルを基に行われる。
【００３４】
図６はアプリケーションソフト管理情報テーブルの内容を示す図である。図６に示したように、携帯電話機１の各アプリケーションソフト毎に、種別、ＩＤ及び保留制御情報が設定されている。種別はアプリケーションソフトのタイプを示し、例えば、タイプ「Ａ」は「ユーザデータ処理」を示し、タイプ「Ｂ」は「設定」を示し、タイプ「Ｃ」は「データ通信処理」を示す。
【００３５】
ＩＤはアプリケーションソフトを区別するための識別情報であり、例えば、ＩＤ「１００」は「電話帳アプリケーションソフト」を示し、ＩＤ「１０１」は「自局電話番号表示アプリケーションソフト」を示し、ＩＤ「１０２」は「ブラウザ（データ通信に関連するアプリケーションソフト）」を示し、ＩＤ「１０３」は「メーラー」を示す。
【００３６】
保留制御情報は保留制御が必要なアプリケーションソフトであるか否かを示し、保留制御情報「０」は保留制御が不要であることを示し、保留制御情報「１」は保留制御が必要であることを示す。
【００３７】
例えば、ステップＥ３においてユーザによりメーラーに対する操作がなされている場合、ステップＥ４において、制御部１２は、図６に示したアプリケーションソフト管理情報テーブルの内容を基に、保留制御が必要であると判断することになる。
【００３８】
ユーザにより操作されているアプリケーションソフトが保留制御が必要なアプリケーションソフトである場合（図３のステップＥ４，Ｙｅｓ）、音声通話を保留すべく保留制御が行われる（図３のステップＥ５）。
【００３９】
この保留制御時の携帯電話機１の動作が図４に示されている。図１，２及び４において、通信ネットワーク７が音声通話を保留する保留制御機能を有しているか否かが確認される（図４のステップＦ１）。
【００４０】
通信ネットワーク７が保留制御機能を有している場合（図４のステップＦ１，Ｙｅｓ）、制御部１２の制御により保留要求信号を無線基地局２を介して交換機３に送信することにより、携帯電話機１は通信ネットワーク７に対して音声通話の保留を要求する（図４のステップＦ７）。したがって、携帯電話機１からの保留要求信号の受信に応答して、交換機３の図示せぬ保留制御手段により音声通話が保留されることになる。そして、制御部１２は、通信ネットワーク７により音声通話の保留が行われたことを示す保留状態情報をメモリ２０に記憶する（図４のステップＦ８）。
【００４１】
通信ネットワーク７が保留制御機能を有していない場合（図４のステップＦ１，Ｎｏ）、制御部１２は、音声通話制御部１７を制御して音声通話に使用されるマイク１８をオフ状態にする（図４のステップＦ２）。そして、制御部１２は、音声通話の保留を通知するための保留音がメロディに設定されているか、それとも音声メッセージに設定されているかを確認する（図４のステップＦ３）。この保留音の設定はユーザが操作部２１を用いて行うことができる。
【００４２】
保留音としてメロディが設定されている場合（図４のステップＦ３，Ｙｅｓ）、制御部１２はメロディ発生部１４にメロディを生成させ（図４のステップＦ４）、このメロディが保留音として無線基地局２及び交換機３を介して通話相手の電話機に送出される（図４のステップＦ６）。
【００４３】
一方、保留音として音声メッセージが設定されている場合（図４のステップＦ３，Ｎｏ）、制御部１２は音声メッセージ発生部１３に音声メッセージを生成させ（図４のステップＦ５）、この音声メッセージが保留音として無線基地局２及び交換機３を介して通話相手の電話機に送出される（図４のステップＦ６）。
【００４４】
携帯電話機１からの保留音が通話相手に送出されて音声通話の保留が完了すると、制御部１２は、携帯電話機１自身により音声通話の保留が行われたことを示す保留状態情報をメモリ２０に記憶する（図４のステップＦ８）。このようにして、保留制御動作が終了する。
【００４５】
図３に戻り、ステップＥ２〜ステップＥ４の条件のうち１つでも保留制御が不要な条件が成立した場合は、保留制御の解除が行われる（図３のステップＥ６）。この保留制御解除時の携帯電話機１の動作が図５に示されている。
【００４６】
図１，２及び５において、制御部１２は、メモリ２０に記憶されている保留状態情報を基に、音声通話の保留制御が携帯電話機１により行われたか、それとも通信ネットワーク７により行われたかを確認する（図５のステップＧ１）。
【００４７】
通信ネットワーク７により行われている場合（図５のステップＧ１，Ｎｏ）、制御部１２の制御により保留解除要求信号を無線基地局２を介して交換機３に送信することにより、携帯電話機１は通信ネットワーク７に対して音声通話の保留の解除を要求する（図５のステップＧ４）。したがって、携帯電話機１からの保留解除要求信号の受信に応答して、交換機３の保留制御手段により音声通話の保留が解除されることになる。そして、制御部１２は、メモリ２０内の保留状態情報を初期化する（図５のステップＧ５）。
【００４８】
一方、携帯電話機１により行われている場合（図５のステップＧ１，Ｙｅｓ）、制御部１２は、音声通話制御部１７を制御してマイク１８をオン状態に設定する（図５のステップＧ２）。そして、通話相手の電話機への保留音の送出が停止され（図５のステップＧ３）、メモリ２０内の保留状態情報が初期化される（図５のステップＧ５）。このようにして、保留制御解除動作が終了する。
【００４９】
図３に戻り、ステップＥ６において音声通話が保留されていない場合があるが、この場合、保留制御解除動作をなすことなくステップＥ１に戻ることは勿論である。
【００５０】
ステップＥ１において携帯電話機１が音声通話中でなければ（図３のステップＥ１，Ｎｏ）、ステップＥ５における保留制御が施された後、ステップＥ６における保留制御の解除がなされることなく音声通話が終了したか否かを確認するために、制御部１２は保留制御の状態を確認する（図３のステップＥ７）。保留制御が施されたままである場合（図３のステップＥ７，Ｙｅｓ）、ステップＥ６と同様にして保留制御を解除する（図３のステップＥ８）。
【００５１】
このように、本発明の実施例では、例えば音声通話中に電子メールを通話相手に送信するために、音声通話中に起動されているメーラーに対する操作を行ったとき、音声通話を保留するようにしているので、この操作により発生する雑音が通話相手に通知されることを抑制することができる。
【００５２】
また、音声通話中に音声通話以外の起動されているアプリケーションソフトに対する操作を行ったとき、音声通話を保留するようにしているので、この操作を行っている間のトラフィックを軽減することができる。
【００５３】
また、ネットワークが保留制御機能を有していない場合でも、携帯電話機のマイクがオフされると共に携帯電話機から保留音（メロディまたは音声メッセージ）をネットワークに送出することにより、音声通話を保留して雑音の通知を抑制することができる。
【００５４】
なお、本発明の実施例では、携帯電話機１を用いていたが、携帯電話機に限られるものではなく、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）端末に代表されるような、データ通信に使用する回線と音声通話に使用する回線とを同時に制御可能な固定電話機を用いてもよい。このような固定電話機においても、例えば音声通話中に電子メールを送受信するために操作をなす際、音声通話を保留することによりこの操作による雑音の通知を抑制することができる。
【００５５】
上記図３、図４及び図５に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【００５６】
【発明の効果】
本発明による効果は、音声通話中のアプリケーションソフトに対する操作により発生する雑音が通話相手に通知されることを抑制することができることである。その理由は、複数の処理を並列に実行可能な電話機において、音声通話処理とこれ以外の処理とが起動中に音声通話処理以外の処理に対するユーザ操作に応答して、電話機が音声通話の保留をネットワーク側に要求し、ネットワークが電話機からの要求に応答して音声通話を保留するためである。
【００５７】
また、ネットワークが音声通話を保留する機能を有していない場合でも、電話機に備えられている通話用のマイクロフォンをオフにすると共に保留音をネットワークを介して前記音声通話の通話相手に送出することにより、音声通話を保留することができる。
【図面の簡単な説明】
【図１】本発明の実施例による移動通信システムの構成を示す図である。
【図２】図１の携帯電話機の構成を示す図である。
【図３】アプリケーションソフト起動時の図１の携帯電話機の動作を示すフローチャートである。
【図４】保留制御時の図１の携帯電話機の動作を示すフローチャートである。
【図５】保留制御解除時の図１の携帯電話機の動作を示すフローチャートである。
【図６】アプリケーションソフト管理情報テーブルの内容を示す図である。
【符号の説明】
１　　携帯電話機
２　　無線基地局
３　　交換機
４　　ゲートウェイ
５　　Ｗｅｂサーバ
６　　メールサーバ
７　　通信ネットワーク
１０　　アンテナ
１１　　送受信部
１２　　制御部
１３　　音声メッセージ発生部
１４　　メロディ発生部
１５　　表示制御部
１６　　表示部
１７　　音声通話制御部
１８　　マイクロフォン
１９　　スピーカ
２０　　メモリ
２１　　操作部
【図１】
2004080222.tif 000003
【図２】
2004080222.tif 000004
【図３】
2004080222.tif 000005
【図４】
2004080222.tif 000006
【図５】
2004080222.tif 000007
【図６】
2004080222.tif 000008